(57)【要約】【課題】全熱効率を増加させることができる全熱交換器及びこれを用いた換気システムを提供する。【解決手段】室外空気を室内に導く給気ダクト１０及び室内空気を外部に導く排気ダクト２０と、前記給気ダクトの一側に設置され、前記室外空気を吸入して室内に排出する給気ファン１３と、前記排気ダクトの一側に設置され、前記室内空気を吸入して室外に排出する排気ファン２３と、前記室内空気と室外空気とが交差する領域に設置されて前記室外空気と室内空気が熱交換するようにする熱交換素子５０ａと、を備え、前記熱交換素子の形状は、前記熱交換素子を経由する室外空気の流れと室内空気の流れが互いに鋭角をなすように提供する。【選択図】図１
2006337015.tif 000002
【特許請求の範囲】
【請求項１】
室外空気を室内に導く給気ダクト及び室内空気を外部に導く排気ダクトと、
前記給気ダクトの一側に設置され、前記室外空気を吸入して室内に排出する給気ファンと、
前記排気ダクトの一側に設置され、前記室内空気を吸入して室外に排出する排気ファンと、
前記室内空気と室外空気とが交差する領域に設置され、前記室外空気と室内空気が熱交換するようにする熱交換素子と、を備え、
前記熱交換素子の形状は、前記熱交換素子を経由する室外空気の流れと室内空気の流れが互いに鋭角をなすように提供されることを特徴とする全熱交換器。
【請求項２】
前記熱交換素子の断面高さは、前記熱交換素子の断面幅よりも小さいことを特徴とする請求項１に記載の全熱交換器。
【請求項３】
前記熱交換素子の断面は、実質的に多角形であることを特徴とする請求項１に記載の全熱交換器。
【請求項４】
前記熱交換素子の断面は、実質的に菱形であることを特徴とする請求項３に記載の全熱交換器。
【請求項５】
前記熱交換素子は複数個が備えられ、それぞれの熱交換素子は、空気の流動方向に対して直列に配置されることを特徴とする請求項１に記載の全熱交換器。
【請求項６】
前記給気ダクトと排気ダクトの内部を流動する空気は、前記直列配置された前記熱交換素子をジグザグ形態で通過することを特徴とする請求項５に記載の全熱交換器。
【請求項７】
前記排気ダクトと区画され、室内空気が前記熱交換素子を通過せずに前記排気ファンの強制吸引力によって直接室外に排出されるようにする排気用バイパス流路をさらに備えることを特徴とする請求項１に記載の全熱交換器。
【請求項８】
前記給気ダクトと区画され、室外空気が前記熱交換素子を通過せずに前記吸気ファンの強制吸引力によって直接室内に供給されるようにする給気用バイパス流路をさらに備えることを特徴とする請求項１に記載の全熱交換器。
【請求項９】
前記給気ダクト上に、前記室外空気中の異物をろ過するフィルタ部をさらに備えることを特徴とする請求項１に記載の全熱交換器。
【請求項１０】
前記給気ファンの回転軸は、室内に排出される室外空気の排出方向と垂直であることを特徴とする請求項１に記載の全熱交換器。
【請求項１１】
前記給気ファンは複数個が備えられ、前記複数個の給気ファンを同時に駆動させる両軸モーターをさらに備えることを特徴とする請求項１０に記載の全熱交換器。
【請求項１２】
前記排気ファンの回転軸は、室外に排出される室内空気の排出方向と垂直に設置されることを特徴とする請求項１に記載の全熱交換器。
【請求項１３】
前記排気ファンは複数個が備えられ、前記複数個の排気ファンを同時に駆動させる両軸モーターをさらに備えることを特徴とする請求項１２に記載の全熱交換器。
【請求項１４】
前記給気ファンと排気ファンによって排出される空気をそれぞれ貯留する給気チャンバー及び排気チャンバーをさらに備えることを特徴とする請求項１に記載の全熱交換器。
【請求項１５】
室外空気を室内に導く給気ダクト及び室内空気を外部に導く排気ダクトと、
前記給気ダクトの一側に設置された給気ファン及び前記排気ダクトの一側に設置される排気ファンと、
前記室内空気と室外空気とが交差する領域に設置され、前記室外空気と室内空気が熱交換するようにする熱交換素子と、
前記給気ダクトから供給される室外空気を室内に拡散する第１ディフューザを有する第１延長ダクトと、
前記第１ディフューザと所定間隔で設置される第２ディフューザを有する第２延長ダクトと、を備え、
前記熱交換素子の形状は、前記熱交換素子を経由する室外空気の流れと室内空気の流れが互いに鋭角をなすように提供されることを特徴とする換気システム。
【請求項１６】
前記第１延長ダクトは、前記給気ダクトと室内とを連通させる下部延長ダクトと、前記給気ダクトと外部とを連通させる上部延長ダクトと、をさらに備えることを特徴とする請求項１５に記載の換気システム。
【請求項１７】
前記第２延長ダクトは、前記排気ダクトと室内とを連通させる下部延長ダクトと、前記排気ダクトと外部とを連通させる上部延長ダクトと、をさらに備えることを特徴とする請求項１５に記載の換気システム。
【発明の詳細な説明】
【技術分野】
【０００１】
本発明は、全熱交換器及びこれを用いた換気システムに係り、より詳細には、構造を改善し熱交換面積を増加させることによって全熱効率を増加させることができる全熱交換器及び換気システムに関する。
【背景技術】
【０００２】
一般に、密閉された室内の空気は、室内で活動する人の呼吸などによって時間が経つにつれ次第に汚染されていく。このため、室内の汚染された空気を室外の新鮮な空気に随時交換しなければならないが、この場合、通常、全熱交換器を用いた換気システムが使用される。
【０００３】
特に、家庭、大型ビル及び工場建物などには、室内空間を換気するために様々な換気システムが使用される。かかる換気システムは、室外空気を室内に供給するための給気ファン、室内空気を室外に排出するための排気ファン、これら室内空気及び室外空気を室外に導くダクトなどを備えてなる。また、この換気システムは、外部に排出される室内空気に含まれた熱エネルギーの一部を回収するための全熱交換器が設置されることもある。
【発明の開示】
【発明が解決しようとする課題】
【０００４】
しかしながら、上述した従来の全熱交換器は、次のような問題点があった。
第一に、建築設計に当たって天井厚が制限されるため、天井内部に設置される全熱交換器の高さが制限され、また、室内空気と室外空気を熱交換させるために全熱交換器内部に設置される熱交換素子の高さも制限され、結果として、熱交換素子の熱交換面積が小さくなり、全熱交換器の全熱効率が相対的に低くなるという問題点があった。
【０００５】
第二に、熱交換素子を通過する空気の流速が高いため、熱交換素子から熱交換が有効に行われず、全熱交換器の効率が低いという問題があった。
【０００６】
第三に、熱交換素子を通過する室内空気と室外空気の流動方向変化が大きいため、流路抵抗が増加するという問題があった。
【０００７】
本発明は上記の問題点を解決するためのもので、その目的は、全熱効率を増加させることができる全熱交換器及びこれを用いた換気システムを提供することにある。
【０００８】
本発明の他の目的は、流路抵抗を低減できる全熱交換器及びこれを用いた換気システムを提供することにある。
【課題を解決するための手段】
【０００９】
上記目的を達成するために、本発明は、室外空気を室内に導く給気ダクト及び室内空気を外部に導く排気ダクトと、前記給気ダクトの一側に設置され、前記室外空気を吸入して室内に排出する給気ファンと、前記排気ダクトの一側に設置され、前記室内空気を吸入して室外に排出する排気ファンと、前記室内空気と室外空気とが交差する領域に設置され、前記室外空気と室内空気が熱交換するようにする熱交換素子と、を備え、前記熱交換素子の形状は、前記熱交換素子を経由する室外空気の流れと室内空気の流れが互いに鋭角をなすように提供される全熱交換器を提供する。
【００１０】
前記熱交換素子の断面高さは、前記熱交換素子の断面幅よりも小さく形成することができる。
【００１１】
また、前記熱交換素子の断面は、実質的に多角形の形状を有することができ、具体的には、実質的に菱形の形状を有することができる。
【００１２】
前記熱交換素子は複数個が備えられ、それぞれの熱交換素子は、空気の流動方向に対して直列に配置されることが好ましい。
【００１３】
前記給気ダクトと排気ダクトの内部を流動する空気は、前記直列配置された前記熱交換素子をジグザグ形態で通過することができる。
【００１４】
上記全熱交換器は、前記排気ダクトと区画され、室内空気が前記熱交換素子を通過せずに前記排気ファンの強制吸引力によって直接室外に排出されるようにする排気用バイパス流路をさらに備えることができる。
【００１５】
上記全熱交換器は、前記給気ダクトと区画され、室外空気が前記熱交換素子を通過せずに前記吸気ファンの強制吸引力によって直接室内に供給されるようにする給気用バイパス流路をさらに備えることができる。
【００１６】
上記全熱交換器は、前記給気ダクト上に、前記室外空気中の異物をろ過するフィルタ部をさらに備えることができる。
【００１７】
前記給気ファンの回転軸は、室内に排出される室外空気の排出方向と垂直に設置されることが好ましい。
【００１８】
上記全熱交換器は、複数個の給気ファンを有し、前記複数個の給気ファンを同時に駆動させる両軸モーターをさらに備えても良い。
【００１９】
前記排気ファンの回転軸は、室外に排出される室内空気の排出方向と垂直に設置されることが好ましい。
【００２０】
上記全熱交換器は、複数個の排気ファンを有し、前記複数個の排気ファンを同時に駆動させる両軸モーターをさらに備えても良い。
【００２１】
上記全熱交換器は、前記給気ファンと排気ファンによって排出される空気をそれぞれ貯留する給気チャンバー及び排気チャンバーをさらに備えることができる。
【００２２】
本発明の他の実施形態によれば、室外空気を室内に導く給気ダクト及び室内空気を外部に導く排気ダクトと、前記給気ダクトの一側に設置された給気ファン及び前記排気ダクトの一側に設置される排気ファンと、前記室内空気と室外空気とが交差する領域に設置され、前記室外空気と室内空気が熱交換するようにする熱交換素子と、前記給気ダクトから供給される室外空気を室内に拡散する第１ディフューザを有する第１延長ダクトと、前記第１ディフューザと所定間隔で設置される第２ディフューザを有する第２延長ダクトと、を備え、前記熱交換素子の形状は、前記熱交換素子を経由する室外空気の流れと室内空気の流れが互いに鋭角をなすように提供される換気システムが提供される。
【００２３】
前記第１延長ダクトは、前記給気ダクトと室内とを連通させる第１下部延長ダクトと、前記給気ダクトと外部とを連通させる第１上部延長ダクトと、をさらに備えることができる。
【００２４】
前記第２延長ダクトは、前記排気ダクトと室内とを連通させる第２下部延長ダクトと、前記排気ダクトと外部とを連通させる第２上部延長ダクトと、をさらに備えることができる。
【発明の効果】
【００２５】
本発明の換気システムは、本発明による全熱交換器を採用することによって、建物などの設計を考慮しながらも高い全熱効率を維持可能になる。
【発明を実施するための最良の形態】
【００２６】
以下、添付の図面を参照しつつ、本発明による全熱交換器及びこれを用いた換気システムの好適な実施例について具体的に説明する。
【００２７】
図１乃至図７において、実線で表す矢印Ａは、室内空気の流れを示し、点線で表す矢印Ｂは、室外空気の流れを示す。
【００２８】
図１は、本発明による全熱交換器の第１実施例を示す図であり、図２は、図１における熱交換素子を示す断面図である。そして、図３Ａは、室内を冷房する冷房運転時の室内空気と室外空気の流路長による温度変化を概略的に示すグラフであり、図３Ｂは、室内を暖房する暖房運転時の室内空気と室外空気の流路長による温度変化を概略的に示すグラフである。
【００２９】
図１乃至図３Ｂを参照して、本発明による全熱交換器の第１実施例を説明すると、次の通りである。
【００３０】
全熱交換器１は、室外空気を室内に導く給気ダクト１０、室内空気を室外に導く排気ダクト２０、これら室外空気と室内空気を熱交換させる熱交換素子５０ａを備える。また、全熱交換器１は、室外空気を吸入して室内に排出する給気ファン１３と、室内空気を吸入して室外に排出する排気ファン２３とをさらに備えることができる。
【００３１】
熱交換素子５０ａは、給気ダクト１０によって導かれる室外空気の流れと排気ダクト２０によって導かれる室内空気の流れとが互いに交差する領域に設置されるもので、これら両空気の温度差を用いた顕熱交換と両空気の湿度差を用いた潜熱交換を通じて室内空気と室外空気を熱交換させる。
【００３２】
具体的に、熱交換素子５０ａの内部には、室内空気と室外空気が通過する第１熱交換流路（図示せず）と第２熱交換流路（図示せず）が個別に形成されている。これら第１熱交換流路と第２熱交換流路は、熱的特性に優れた熱交換膜（図示せず）によって区画されている。
【００３３】
したがって、温度及び湿度差を持つ室内空気と室外空気がそれぞれの熱交換流路を通過すると、これら両空気において熱交換膜によって熱交換が発生するようになる。
【００３４】
一方、熱交換素子５０ａの一側にはフィルタ（図示せず）が設置されても良い。このフィルタは、空気中の異物をろ過する役割を担うもので、全熱交換器とは別に着脱自在に取り付けられる。
【００３５】
給気ダクト１０の一端には、室外と連通する給気ダクト吸入口１１が形成され、他端には、室内と連通する給気ダクト排出口１２が形成される。また、排気ダクト２０の一端には、室内と連通する排気ダクト吸入口２１が形成され、他端には、室外と連通する排気ダクト排出口２２が形成される。
【００３６】
また、給気ダクト１０上には、室外から室外空気を強制吸入して室内に供給する給気ファン１３が備えられ、排気ダクト２０上には、室内の汚染空気を強制に吸入して室外に排出する排気ファン２３が備えられる。
【００３７】
給気ファン１３と排気ファン２３は、それぞれの給気ファンハウジングと排気ファンハウジングの内部に配置される。また、給気ファンハウジング及び排気ファンハウジングの前方側には当該ファンを駆動させるモーター（図示せず）が装着される。
【００３８】
以下、上記のように構成された換気システムの作用について説明する。
【００３９】
まず、室内空気がある程度汚染された時に、排気ファン２３に電源が印加されると、室内空気が排気ダクト吸入口２１から排気ダクト２０に流入し、排気ダクト２０を経由した室内空気は、熱交換素子５０ａを対角線方向に通過する。
【００４０】
続いて、熱交換素子５０ａを通過した室内空気は、排気ダクト２０に沿って流動し、排気ダクト排出口２２から室外に排出される。これと同時に、室外空気が給気ダクト流入口１１から給気ダクト１０に流入した後、熱交換素子５０ａを対角線方向に通過する。
【００４１】
続いて、熱交換素子５０ａを通過した室外空気は、給気ダクトに沿って流動し、給気ダクト排出口１２から室内に供給される。このような過程によって熱交換素子５０ａを通過する室内空気と室外空気は相互に熱交換され、これにより、室内に適切な温度の室外空気が供給されるようになる。
【００４２】
一方、室内空気は、大きく、２つの経路のうち一つを通じて外部に排気される。一番目の経路に対しては、排気ダクト吸入口２１から流入する空気が、排気ダクト第１流入穴２４を経て給気ダクト吸入口１１からの室外空気と熱交換素子５０ａを通過しつつ熱交換されてから外部に排出される。また、２番目の経路に対しては、排気ダクト吸入口２１から流入する室内空気は、熱交換素子５０ａを通過せずに排気ファン２３の強制吸引力によって直接室外に排出される。
【００４３】
後者の場合、全熱交換器１は、室内空気を直接排気ダクト排出口２２に流れるようにする排気用バイパス流路２６をさらに備える。したがって、排気ダクト流入口２１から流入した室内空気は、排気ダクト第２流入穴２５を通ってバイパス流路２６を経由して外部に排出される。また、排気ダクト流入口２１には、室内空気をバイパス流路に導くためのダンパーが備えられても良い。
【００４４】
このように構成すると、春や秋のように室内空気と室外空気との温度及び湿度差が小さい場合には、室内空気と室外空気が熱交換素子を経由しないようにすることによって熱交換素子による圧力損失を低減可能になる。その結果、ファンにかかる負荷減少によって消費電力を低減し、エネルギーの節約が図られる。
【００４５】
一方、全熱交換器の全熱効率は、熱交換素子５０ａにおける室内空気と室外空気との熱交換効率に左右され、したがって、所定の全熱効率を得るためには、熱交換素子５０ａの断面積を増加させなければならない。にもかかわらず、建築設計上の制約のために熱交換素子５０ａの垂直方向の長さ、すなわち熱交換素子の断面高さを増加させるには制限がある。
【００４６】
このように全熱効率の向上と熱交換素子５０ａの断面高さの最小化は互いに相反する関係にある。そこで、本発明者は、全熱交換器の全熱効率を高める上で、熱交換素子５０ａの断面高さを増加させることなく熱交換素子の断面積を増加させる方法を見出し、本発明を完成するに至った。
【００４７】
具体的に、熱交換素子の形状は、該熱交換素子を経由する室外空気の流れと室内空気の流れとが互いに鋭角θをなすようにする。また、熱交換素子は、熱交換素子の断面高さｈよりも熱交換素子の断面幅ｗが大きい形状を有し、本実施例では、図２に示すように、熱交換素子の形状を菱形としている。
【００４８】
ここで、熱交換素子の断面形状は、いずれの形態であっても良く、例えば、曲線形態の断面形状または多角形の断面形状にしても良く、直線部と曲線部が混合された断面形状にしても良い。
【００４９】
熱交換素子の断面幅が断面高さよりも大きい値を有すると、熱交換素子５０ａを流動する空気の流路長さが増加し、流動する空気の流速は減少する。したがって、熱交換素子５０ａを通過する室内空気と室外空気はより效率的に熱交換可能になる。
【００５０】
なお、熱交換素子の断面幅が断面高さよりも大きい値を有すると、給気ダクトと排気ダクトを流れる空気の流動方向の変化が減少し、流路抵抗が低減するさらなる効果がある。
【００５１】
図３Ａ及び図３Ｂを参照して、本発明による熱交換素子の流路長による温度変化を説明すれると、次の通りである。
【００５２】
図３Ａ及び図３Ｂのそれぞれにおいて、“Ｘ”は、熱交換素子が従来の構成を有する場合、グラフＡで表すように熱交換素子の流路長によって変化する室内空気の温度と、グラフＢで表すように熱交換素子の流路長によって変化する室外空気の温度との差を示し、“Ｙ”は、熱交換素子が本発明の構成を有する場合、グラフＡで表すように熱交換素子の流路長によって変化する室内空気の温度と、グラフＢで表すように熱交換素子の流路長によって変化する室外空気の温度との差を示す。
【００５３】
まず、夏の室内冷房運転時（図３Ａ参照）では、室内空気の温度は室外空気の温度よりも相対的に低く設定される。このような室内温度と室外温度との温度差は、全熱交換器の熱交換素子５０ａでの熱交換によって減少し、よって、相対的に温度の高い室外空気は、室外に排出される室内空気と熱交換して実際の外気の温度よりも低い状態で室内に供給されるようになる。
【００５４】
図３Ａを参照すると、従来技術による場合に比べて、本発明による熱交換素子の断面形状において熱交換がより有効に起きることが分かる。したがって、本発明による熱交換素子を使用すると、室内に供給される室外空気と室外に排出される室内空気との温度差をさらに低減することが可能になる。
【００５５】
また、冬の室内暖房運転時（図３Ｂ参照）では、室内空気の温度が室外空気の温度よりも相対的に高く設定される。この場合にも、本発明による熱交換素子の断面形状を有する場合が、従来技術による熱交換素子の場合に比べて熱交換がより有効に起きることが分かる。
【００５６】
本実施例では、全熱交換器を天井の内部に埋め込まれるものとしたが、建物の側面に設置されるものにしても良い。
【００５７】
次に、図４及び図５を参照して、本発明による全熱交換器の第２実施例を説明する。
【００５８】
本発明による全熱交換器の第２実施例における基本的な構成は、上記の第１実施例と同様である。ただし、熱交換素子５０ｂが複数個からなり、それぞれの熱交換素子５０ｂは、空気の流動方向に対して直列に配置される。
【００５９】
上述の如く、建築設計上の天井高の制限によって熱交換素子の断面高さは一定の限界を有することになるが、本実施例のように、熱交換素子５０ｂを空気の流動方向に対して直列に配置することによって、熱交換素子５０ｂの断面高さを増加させることなく熱交換量を増加させることができる。
【００６０】
給気ダクト１０と排気ダクト２０を流れる空気は、図４に示すように、直列配置された熱交換素子５０ｂをジグザグ形態に通過し、これにより、熱交換素子の全体熱交換面積と空気の流れる移動経路の長さは増加する。
【００６１】
また、直列配置された熱交換素子５０ｂを通過しつつ空気の流速は次第に減少し、熱交換側面で有利となる。結果として、全体熱交換面積の増加と空気流速の減少によって全熱交換器の全熱効率が高められる効果が得られる。
【００６２】
一方、熱交換素子は、全熱交換器に着脱自在に取り付けられることが好ましい。このような着脱構造によって熱交換素子を容易に組み立てたり分離可能になる。
【００６３】
また、全熱交換器１００は、排気用バイパス流路２６を備える。したがって、春や秋のように室内と室外の温度湿度差が小さい場合、室内空気は、熱交換素子５０ｂを通過せずに前記排気用バイパス流路２６を経て外部に排出される。これにより、熱交換素子５０ｂによる圧力損失が発生しないため、排気ファンにかかる負荷が減少し、消費電力が低減する。
【００６４】
また、全熱交換器１００は、図示してはいないが、外部空気が室内に直接流入するようにする給気用バイパス流路を備えても良い。この場合、給気用バイパス流路の一端には、室外空気の流れを制御するダンパーが取り付けられる。したがって、室外空気が熱交換されない時には、該室外空気は給気ダクトに形成された流入穴を通過し給気用バイパス流路を経由して室内に直接流入する。
【００６５】
また、全熱交換器１００は、給気ダクトに流れる空気の流路上に、室外空気中の異物をろ過するフィルタ部（図示せず）を備えても良い。このフィルタ部を通過しつつ室外空気中の異物がろ過され清浄な空気が室内に供給される。
【００６６】
ここで、フィルタ部は、ホコリなどの異物を捕集するために繊維マット状に構成された集塵フィルタを備えてなる。さらに、フィルタ部は、空気中の細菌を除去する坑菌フィルタ、フィルタを通過した微細ホコリ及び揮発性有機化合物を除去する光触媒コレクタ、臭いを除去する脱臭フィルタ、陰イオン発生部などを備えて構成されるか、これらの組合によって構成されることができる。
【００６７】
次に、図６を参照して、本発明による全熱交換器の第３実施例について説明する。
【００６８】
本実施例では、給気用ファン−モーターアセンブリー１３０と排気用ファン−モーターアセンブリー２３０がそれぞれ備えられ、給気用ファン−モーターアセンブリー１３０と排気用ファン−モーターアセンブリー２３０はそれぞれ、回転軸が室外空気の排出方向及び室内空気の排出方向に対して垂直に設置された複数個の給気ファン１３１と排気ファン２３１を備える。
【００６９】
これら複数個の給気ファン１３１と排気ファン２３１は、一つの両軸モーター１３２，２３２によってそれぞれ駆動される。複数個の給気ファン１３１と排気ファン２３１は、一つの両軸モーターによって駆動されることによって風量を増大させることができる。本実施例では、給気ファン１３１と排気ファン２３１がそれぞれ二つから構成されている。
【００７０】
また、給気ファン１３１側と排気ファン２３１側には、ファンによって排出された空気を貯留する給気チャンバー１７と排気チャンバー２７がそれぞれ備えられる。これら給気チャンバーと排気チャンバーは、給気及び排気される空気を臨時貯留することによって、給気ダクトと排気ダクトの内部に流れる空気の流動を均一にする機能を担う。
【００７１】
上記の第１及び第２実施例では、給気ファンと排気ファンの回転軸を室外空気の排出方向及び室内空気排出方向と同じ方向に延設したが、本実施例では、給気ファン１３１と排気ファン２３１の回転軸を、室外空気の排出方向及び室内空気の排出方向に対してそれぞれ垂直に設置した。
【００７２】
図７を参照して、本発明による換気システムの一実施例について説明する。
【００７３】
本実施例での換気システムは、上述した全熱交換器のうちいずれかと同一の構成を有する全熱交換器１０００、第１延長ダクト５００、そして第２延長ダクト６００を備えて構成される。全熱交換器１０００は、第１延長ダクト５００及び第２延長ダクト６００が接する地点に設置される。
【００７４】
第１延長ダクト５００は、全熱交換器１０００の給気ダクトと室内とを連通させる第１下部延長ダクト５２０、給気ダクトと室外とを連通させる第１上部延長ダクト５３０、及び室内に供給される室外空気を拡散させる第１ディフューザ５１０を備える。
【００７５】
具体的に、第１下部延長ダクト５２０の一側は、全熱交換器の給気ダクトと連結され、他側は、一部が室内空間に露出される第１ディフューザ５１０と連結される。もちろん、第１ディフューザ５１０は室内空間に完全に露出されても良い。
【００７６】
第２延長ダクト６００は、全熱交換器１０００の排気ダクトと室内とを連通させる第２下部延長ダクト６２０、排気ダクトと室外とを連通させる第２上部延長ダクト６３０、及び室内空気を吸入するための第２ディフューザ６１０を備える。
【００７７】
具体的に、第２下部延長ダクトの一側は、全熱交換器の排気ダクトと連結され、他側は、一部が室内空間に露出される第２ディフューザ６１０と連結される。もちろん、第２ディフューザ６１０は室内空間に完全に露出されても良い。
【００７８】
第２延長ダクト６００は、全熱交換器１０００の排気ダクトと室内とを連通させ、全熱交換器と外部とを連通させる役割を担う。そして、第２延長ダクト６００の先端には、室内空気を吸入する第２ディフューザ６１０が設置される。
【００７９】
以上では具体的な実施例に挙げて本発明を説明してきたが、これら具体例に限定されず、本発明の趣旨や範ちゅうを逸脱しない限度内で種々の特定形態に具体化できるという事実は、当該技術分野における通常の知識を持つ者にとっては自明である。したがって、本発明の範囲は、上の説明に限定されるものではなく、添付した特許請求の範囲及びその同等物によって定められるべきである。
【図面の簡単な説明】
【００８０】
【図１】本発明の第１実施例による全熱交換器の内部構造を示す斜視図である。
【図２】図１の熱交換素子と熱交換素子を通過する空気の流動を示す横断面図である。
【図３Ａ】室内冷房運転時の流路長による温度変化を示すグラフである。
【図３Ｂ】室内暖房運転時の流路長による温度変化を示すグラフである。
【図４】本発明の第２実施例による全熱交換器の内部構造を示す斜視図である。
【図５】図４の熱交換素子と熱交換素子を通過する空気の流動を示す横断面図である。
【図６】本発明の第３実施例による全熱交換器の内部構造を示す斜視図である。
【図７】本発明による全熱交換器を有する換気システムを示す概略図である。
【符号の説明】
【００８１】
１０    給気ダクト
１３    給気ファン
２０    排気ダクト
２３    排気ファン
５０ａ    熱交換素子
【図１】
2006337015.tif 000003
【図２】
2006337015.tif 000004
【図３Ａ】
2006337015.tif 000005
【図３Ｂ】
2006337015.tif 000006
【図４】
2006337015.tif 000007
【図５】
2006337015.tif 000008
【図６】
2006337015.tif 000009
【図７】
2006337015.tif 000010